【手続補正書】
【提出日】平成29年11月17日(2017.11.17)
【手続補正１】
【補正対象書類名】特許請求の範囲
【補正対象項目名】全文
【補正方法】変更
【補正の内容】
【特許請求の範囲】
【請求項１】
表側に、足の内側縦アーチ（ＦＡ２）用の内側縦アーチ用凸部（１４０）及び横アーチ（ＦＡ１）用の横アーチ用凸部（１５０）が表側に形成された土踏まず部凸部領域（１７０）と、外側縦アーチ（ＦＡ３）用の外側縦アーチ用凸部（１６０）とを形成し、さらに、裏側が湾曲させられて形成されて、ヒール高さの異なる複数種の女性靴（２００）の中底（２１０）に張り付けられて用いられるインソールであって、
当該インソールのインソール前足部（１０１）の先端線（Ｌａ）が、前記足の前足部（３１０）の前記足の第１基節骨（３３２）、第２基節骨（３３３）、第３基節骨（３３４）、第４基節骨（３３５）、第５基節骨（３３６）の各々の中央付近を通る線（Ｌｉ）に対応する略三角形状線にされて、この線（Ｌｉ）から中足部（３４０）の裏面及び後足部（３６０）の裏面を覆う形状にされ、
当該インソールの第５中足骨対応領域（１４６）は、厚みが前記後足部（３６０）に対応する当該インソールのインソール後足部（１０５）又は前記インソール前足部（１０１）の厚み程度にされていることを特徴とするヒール高別インソール。
【請求項２】
前記土踏まず部凸部領域（１７０）の前記内側縦アーチ用凸部（１４０）及び前記横ア
ーチ（ＦＡ１）用の前記横アーチ用凸部（１５０）は滑らかな曲面で繋げられており、
前記土踏まず部凸部領域（１７０）には、
前記足の母趾球（Ｇａ）及び前記内側縦アーチ用凸部（１４０）の内側縦アーチ用凸部
頂点（Ｐ４）を通る内側縦アーチライン（Ｅ）上付近の、前記外側縦アーチ用凸部（１６
０）の外側縦アーチ用凸部頂点（Ｐ９）に略対向し、かつ前記内側縦アーチ用凸部頂点（
Ｐ４）に対して後側となる位置に内側縦アーチライン後側位置点（Ｐ７）が形成され、
さらに、前記横アーチ用凸部（１５０）の横アーチ用凸部頂点（Ｐ２）を通り、かつ内
側縦アーチライン（Ｅ）に平行な中央縦アーチライン（Ｈ）上付近の前記内側縦アーチラ
イン後側位置点（Ｐ７）に略対向する位置に中央縦アーチライン後側位置点（Ｐ８）が形
成され、
前記外側縦アーチ用凸部（１６０）付近の足外側エッジ面（１７５Ａ）の縁点（１７５
Ａａ）の高さは、前記内側縦アーチ用凸部頂点（Ｐ４）に対向する前記中央縦アーチライ
ン（Ｈ）上の位置付近における中央縦アーチライン中央位置点（Ｐ５）の高さ程度にされ
、
前記内側縦アーチライン後側位置点（Ｐ７）は、
前記外側縦アーチ用凸部（１６０）付近の足外側エッジ面（１７５Ａ）の縁点（１７５
Ａａ）の高さ程度にされ、
前記中央縦アーチライン後側位置点（Ｐ８）は、
前記外側縦アーチ用凸部（１６０）における外側縦アーチ用凸部頂点（Ｐ９）の高さに
されていることを特徴とする請求項１記載のヒール高別インソール。
【請求項３】
複数のヒール（２３０）の内で基準の高さとなるヒール（２３０）に対する当該インソ
ールは、基準ヒール用インソール（１００Ａ）として成型され、
この基準ヒール用インソール（１００Ａ）は、
前記内側縦アーチ用凸部（１４０）の前記内側縦アーチ用凸部頂点（Ｐ４）を基準ヒー
ル用内側縦アーチ用凸部頂点（Ｐ４Ａ）とし、
前記横アーチ用凸部（１５０）の前記横アーチ用凸部頂点（Ｐ２）を基準ヒール用横ア
ーチ用凸部頂点（Ｐ２Ａ）とし、
前記外側縦アーチ用凸部（１６０）の前記外側縦アーチ用凸部頂点（Ｐ９）を基準ヒー
ル用外側縦アーチ用凸部頂点（Ｐ９Ａ）とし、
前記基準ヒール用内側縦アーチ用凸部頂点（Ｐ４Ａ）は、当該インソールのインソール
後端（１０３）から前記基準の高さとなるヒール（２３０）の高さの１．５倍程度の長さ
となる位置に形成され、
前記基準ヒール用横アーチ用凸部頂点（Ｐ２Ａ）は、当該インソールのインソール後端
（１０３）から前記基準の高さとなるヒール（２３０）の高さの２．０倍程度の長さとな
る位置に形成され、
前記基準ヒール用外側縦アーチ用凸部頂点（Ｐ９Ａ）は、当該インソールのインソール
後端（１０３）から前記基準の高さとなるヒール（２３０）の高さの１．１倍程度となる
位置に形成されていることを特徴とする請求項２記載のヒール高別インソール。
【請求項４】
複数のヒール（２３０）の内で基準の高さとなるヒール（２３０）に対して高いヒール
用に対する当該インソールは、高ヒール用インソール（１００Ｂ）として成型され、
この高ヒール用インソール（１００Ｂ）は、
前記内側縦アーチ用凸部（１４０）の前記内側縦アーチ用凸部頂点（Ｐ４）を高ヒール
用内側縦アーチ用凸部頂点（Ｐ４Ｂ）とし、
前記横アーチ用凸部（１５０）の前記横アーチ用凸部頂点（Ｐ２）を高ヒール用横アー
チ用凸部頂点（Ｐ２Ｂ）とし、
前記外側縦アーチ用凸部（１６０）の前記外側縦アーチ用凸部頂点（Ｐ９）を高ヒール
用外側縦アーチ用凸部頂点（Ｐ９Ｂ）とし、
前記高ヒール用内側縦アーチ用凸部頂点（Ｐ４Ｂ）は、基準ヒール用内側縦アーチ用凸
部頂点（Ｐ４Ａ）に対して前側となる位置に形成され、
前記高ヒール用横アーチ用凸部頂点（Ｐ２Ｂ）は、基準ヒール用横アーチ用凸部頂点（
Ｐ２Ａ）に対して後側となる位置に高形成され、
前記高ヒール用外側縦アーチ用凸部頂点（Ｐ９Ｂ）は、基準ヒール用外側縦アーチ用凸
部頂点（Ｐ９Ａ）に対して前側となる位置に形成されていることを特徴とする請求項２記
載のヒール高別インソール。
【請求項５】
複数のヒール（２３０）の内で基準の高さとなるヒール（２３０）に対して低いヒール
に対する当該インソールは、低ヒール用インソール（１００Ｃ）として成型され、
この低ヒール用インソール（１００Ｃ）は、
前記内側縦アーチ用凸部（１４０）の前記内側縦アーチ用凸部頂点（Ｐ４）を低ヒール
用内側縦アーチ用凸部頂点（Ｐ４Ｃ）とし、
前記横アーチ用凸部（１５０）の前記横アーチ用凸部頂点（Ｐ２）を低ヒール用横アー
チ用凸部頂点（Ｐ２Ｃ）とし、
前記外側縦アーチ用凸部（１６０）の前記外側縦アーチ用凸部頂点（Ｐ９）を低ヒール
用外側縦アーチ用凸部頂点（Ｐ９Ｃ）とし、
前記低ヒール用内側縦アーチ用凸部頂点（Ｐ４Ｃ）は、基準ヒール用内側縦アーチ用凸
部頂点（Ｐ４Ａ）に対して後側となる位置に形成され、
前記低ヒール用横アーチ用凸部頂点（Ｐ２Ｃ）は、基準ヒール用横アーチ用凸部頂点（
Ｐ２Ａ）に対して前側となる位置に形成され、
前記低ヒール用外側縦アーチ用凸部頂点（Ｐ９Ｃ）は、基準ヒール用外側縦アーチ用凸部
頂点（Ｐ９Ａ）に対して後側となる位置に形成されていることを特徴とする請求項２記載
のヒール高別インソール。
【請求項６】
前記基準ヒール用インソール（１００Ａ）は、
前記内側縦アーチライン後側位置点（Ｐ７）を基準ヒール用内側縦アーチライン後側位
置点（Ｐ７Ａ）とし、
前記中央縦アーチライン後側位置点（Ｐ８）を基準ヒール用中央縦アーチライン後側位
置点（Ｐ８Ａ）とし、
前記中央縦アーチライン中央位置点（Ｐ５）を基準ヒール用中央縦アーチライン中央位
置点（Ｐ５Ａ）として形成していることを特徴とする請求項３記載のヒール高別インソー
ル。
【請求項７】
前記高ヒール用インソール（１００Ｂ）は、
前記内側縦アーチライン後側位置点（Ｐ７）を高ヒール用内側縦アーチライン後側位置
点（Ｐ７Ｂ）とし、
前記中央縦アーチライン後側位置点（Ｐ８）を高ヒール用中央縦アーチライン後側位置
点（Ｐ８Ｂ）とし、
前記中央縦アーチライン中央位置点（Ｐ５）を高ヒール用中央縦アーチライン中央位置
点（Ｐ５Ｂ）とし、
前記高ヒール用内側縦アーチライン後側位置点（Ｐ７Ｂ）は、基準ヒール用インソール
（１００Ａ）の場合の基準ヒール用内側縦アーチライン後側位置点（Ｐ７Ａ）に対して前
側に形成され、
前記高ヒール用中央縦アーチライン後側位置点（Ｐ８Ｂ）は、基準ヒール用インソール
（１００Ａ）の場合の基準ヒール用中央縦アーチライン後側位置点（Ｐ８Ａ）に対して前
側に形成され、
前記高ヒール用中央縦アーチライン中央位置点（Ｐ５Ｂ）は、基準ヒール用インソール
（１００Ａ）の場合の基準ヒール用中央縦アーチライン中央位置点（Ｐ５Ａ）に対して前
側に形成されていることを特徴とする請求項４記載のヒール高別インソール。
【請求項８】
前記低ヒール用インソール（１００Ｃ）は、
前記内側縦アーチライン後側位置点（Ｐ７）を低ヒール用内側縦アーチライン後側位置
点（Ｐ７Ｃ）とし、
前記中央縦アーチライン後側位置点（Ｐ８）を低ヒール用中央縦アーチライン後側位置
点（Ｐ８Ｃ）とし、
前記中央縦アーチライン中央位置点（Ｐ５）を低ヒール用中央縦アーチライン中央位置
点（Ｐ５Ｃ）とし、
前記低ヒール用内側縦アーチライン後側位置点（Ｐ７Ｃ）は、基準ヒール用インソール
（１００Ａ）の場合の基準ヒール用内側縦アーチライン後側位置点（Ｐ７Ａ）に対して後
側に形成され、
前記低ヒール用中央縦アーチライン後側位置点（Ｐ８Ｃ）は、基準ヒール用インソール
（１００Ａ）の場合の基準ヒール用中央縦アーチライン後側位置点（Ｐ８Ａ）に対して後
側に形成され、
前記低ヒール用中央縦アーチライン中央位置点（Ｐ５Ｃ）は、基準ヒール用インソール
（１００Ａ）の場合の基準ヒール用中央縦アーチライン中央位置点（Ｐ５Ａ）に対して後
側に形成されていることを特徴とする請求項５記載のヒール高別インソール。
【手続補正２】
【補正対象書類名】明細書
【補正対象項目名】００３２
【補正方法】変更
【補正の内容】
【００３２】
本発明のヒール高別インソールは、表側に、足の内側縦アーチ（ＦＡ２）用の内側縦アーチ用凸部（１４０）及び横アーチ（ＦＡ１）用の横アーチ用凸部（１５０）が表側に形成された土踏まず部凸部領域（１７０）と、外側縦アーチ（ＦＡ３）用の外側縦アーチ用凸部（１６０）とを形成し、さらに、裏側が湾曲させられて形成されて、ヒール高さの異なる複数種の女性靴（２００）の中底（２１０）に張り付けられて用いられるインソールであって、
当該インソールのインソール前足部（１０１）の先端線（Ｌａ）が、前記足の前足部（３１０）の前記足の第１基節骨（３３２）、第２基節骨（３３３）、第３基節骨（３３４）、第４基節骨（３３５）、第５基節骨（３３６）の各々の中央付近を通る線（Ｌｉ）に対応する略三角形状線にされて、この線（Ｌｉ）から前記中足部（３４０）の裏面及び後足部（３６０）の裏面を覆う形状にされ、
当該インソールの第５中足骨対応領域（１４６）は、厚みが前記後足部（３６０）に対応する当該インソールのインソール後足部（１０５）又は前記インソール前足部（１０１）の厚み程度にされていることを要旨とする。